(57)【特許請求の範囲】
【請求項１】
管路２１にケーブル６を挿通させ、管路口で管路２１とケーブル６との間に充填した止水剤２３を、圧縮空気によりエアーチッパー１の棒状の刃３を進退させてはつる管路止水剤のはつり工法であって、管路外のケーブル６にはつり治具２を介してエアーチッパー１を設置して管路口の止水剤２３をはつるようにした管路止水剤のはつり工法。
【請求項２】
請求項１の管路止水剤のはつり工法用のはつり冶具であって、ケーブル６を覆う半円筒状のケーブルガイド７と、ケーブルガイド７をケーブル６に固定するバンドと、エアーチッパー１の刃３の摺動方向を向く長手方向の案内孔９を刻設し、エアーチッパー１の本体の両側にボルト１１により螺締したガイド１０に設けた突出物（摺動体）が案内孔９に摺動自在に設けた前記ケーブルガイド７後端部外面に対向して固着した長手方向に２個のスライドガイド８とよりなり、ケーブルガイド７の先端部外面に、刃３の先端部を案内する２個のガイド１４を長手方向に起立させ、ガイド１４をまたいでコ字状のストッパー１５を固着したはつり治具。
【請求項３】
請求項１の管路止水剤のはつり工法用のエアーチッパーであって、棒状の刃３を圧縮空気により進退させて掘削するエアーチッパー１において、刃３の先端部１２を基部に対してケーブルガイド７側に平行状に近づくように屈曲成形させ、本体両側方にガイド１０をボルト１１で螺締し、前記ガイド１０をはつり冶具２の案内孔９に摺動自在に設けたエアーチッパー。
【発明の詳細な説明】
【０００１】
【発明の属する技術分野】
本発明は、管路止水剤のはつり工法と管路止水剤のはつり工法に用いるはつり治具に関するものである。
【０００２】
【従来の技術】
マンホール間を管路で連結し、送電用のケーブルは管路に挿通させてマンホール内で連結されている。
【０００３】
管路のマンホールに臨む箇所の管路口では、管路とケーブルとの間からの漏水を防ぐため、止水剤が充填されている。止水剤としては、黄土、石膏、セメントを混合したものが用いられている。
【０００４】
この止水剤の除去は、チスとハンマーを用いて手はつり（削り）で施工している。
【０００５】
【発明が解決しようとする課題】
手はつりでは、活線近接作業であり、さらにマンホールの狭い箇所での作業で、熟練作業員の施工でもかなりの時間を必要とし、作業効率が悪い。また、手はつりではチスの刃先の固定が不安定なため、ケーブル損傷のおそれがある。
【０００６】
【課題を解決するための手段】
そこで、本発明は、上記の事情に鑑み、作業効率がよく、ケーブルを損傷させないようにすべく、管路２１にケーブル６を挿通させ、管路口で管路２１とケーブル６との間に充填した止水剤２３を、圧縮空気によりエアーチッパー１の棒状の刃３を進退させてはつる管路止水剤のはつり工法であって、管路外のケーブル６にはつり治具２を介してエアーチッパー１を設置して管路口の止水剤２３をはつるようにした管路止水剤のはつり工法とした。
【０００７】
また、本発明は、作業効率がよく、ケーブルを損傷させないようにすべく、請求項１の管路止水剤のはつり工法用のはつり冶具であって、ケーブル６を覆う半円筒状のケーブルガイド７と、ケーブルガイド７をケーブル６に固定するバンドと、エアーチッパー１の刃３の摺動方向を向く長手方向の案内孔９を刻設し、エアーチッパー１の本体の両側にボルト１１により螺締したガイド１０に設けた突出物（摺動体）が案内孔９に摺動自在に設けた前記ケーブルガイド７後端部外面に対向して固着した長手方向に２個のスライドガイド８とよりなり、ケーブルガイド７の先端部外面に、刃３の先端部を案内する２個のガイド１４を長手方向に起立させ、ガイド１４をまたいでコ字状のストッパー１５を固着したはつり治具とした。
【０００８】
さらに、本発明は、作業効率がよく、ケーブルを損傷させないようにすべく、請求項１の管路止水剤のはつり工法用のエアーチッパーであって、棒状の刃３を圧縮空気により進退させて掘削するエアーチッパー１において、刃３の先端部１２を基部に対してケーブルガイド７側に平行状に近づくように屈曲成形させ、本体両側方にガイド１０をボルト１１で螺締し、前記ガイド１０をはつり冶具２の案内孔９に摺動自在に設けたエアーチッパーとした。
【０００９】
【発明の実施の態様】
本発明を添付する図面に示す具体的な実施例に基づいて、以下詳細に説明する。
【００１０】
図１、図２および図３において、エアーチッパー１がはつり治具２に装着された状態を示す。
【００１１】
エアーチッパー１は、棒状の刃３が圧縮空気の作動により軸方向に進退して止水剤２３をはつる。符号４はハンドルで、ハンドル４には圧縮空気の作動をオン、オフするスイッチ５が設けてある。
【００１２】
はつり治具２は、ケーブル６を覆う半円筒状のケーブルガイド７があり、ケーブルガイド７の後端部外面の長手方向に２個のスライドガイド８を固着し、スライドガイド８には長手方向の案内孔９を刻設する。
【００１３】
エアーチッパー１の本体両側方にガイド１０をボルト１１により螺締し、このガイド１０を前記スライドガイド８の案内孔９に摺動自在に設ける。
【００１４】
エアーチッパー１の刃３の先端部１２を基端部１３に対してケーブルガイド７側に平行状に近づくように屈曲成形し止水剤２３のはつり作業が容易にできるようにする。
【００１５】
ケーブルガイド７の先端部外面には、刃３の先端部１２を案内する２個のガイド１４を長手方向に起立させる。このガイド１４の中央部にはガイド１４をまたいでコ字状のストッパー１５を固着する。このストッバー１５は刃３の先端部１２が外方に振れるのを防止する。
【００１６】
ケーブルガイド７の先端部外面両側方および後端部外面側方にそれぞれ丸棒をコ字状に屈曲したバンド通し１６を固着する。
【００１７】
上記のはつり治具２に装着したエアーチッパー１を設置するには、図１に示すように、管路２１からマンホール２２内に突出したケーブル６上にケーブルガイド７を載置し、ケーブルガイド７をケーブル６に沿わせ、バンド（図示せず）をバンド通し１６に挿入させて固定する。
【００１８】
はつり作業はケーブル６と管路２１とのクリアランスの大きい上側からはつる。ハンドル４のスイッチ５をオンにすると、刃３は前後に進退して止水剤２３をはつる。このはつり作業中、ハンドル４を前方に向けて押さえるだけで、刃３ははつり作業をする。エアーチッパー１は、スライドガイド刃の案内孔９にガイド１０が摺動自在に設けられているため、はつり作業中エアーチッパー１とケーブルガイド７ごと止水剤２３に向けて移動させる必要がない。
【００１９】
はつり作業は上側のはつりが完了したら、ケーブルガイド７をケーブル６に沿わせて円周方向に移動させてはつる。
【００２０】
はつり作業が完了したら、かき出し棒で管路２１内からガラを取り出し、ウエスなどで清掃する。
【００２１】
【発明の効果】
本発明は、上述のように、管路２１にケーブル６を挿通させ、管路口で管路２１とケーブル６との間に充填した止水剤２３を、圧縮空気によりエアーチッパー１の棒状の刃３を進退させてはつる管路止水剤のはつり工法であって、管路外のケーブル６にはつり治具２を介してエアーチッパー１を設置して管路口の止水剤２３をはつるようにした管路止水剤のはつり工法であるので、作業効率がよく、ケーブルを損傷させるようなことはない。
【００２２】
また、本発明は、請求項１の管路止水剤のはつり工法用のはつり冶具であって、ケーブル６を覆う半円筒状のケーブルガイド７と、ケーブルガイド７をケーブル６に固定するバンドと、エアーチッパー１の刃３の摺動方向を向く長手方向の案内孔９を刻設し、エアーチッパー１の本体の両側にボルト１１により螺締したガイド１０に設けた突出物（摺動体）が案内孔９に摺動自在に設けた前記ケーブルガイド７後端部外面に対向して固着した長手方向に２個のスライドガイド８とよりなり、ケーブルガイド７の先端部外面に、刃３の先端部を案内する２個のガイド１４を長手方向に起立させ、ガイド１４をまたいでコ字状のストッパー１５を固着したはつり治具であるので、作業効率がよく、ケーブルを損傷させるようなことはない。
【００２３】
さらに、本発明は、請求項１の管路止水剤のはつり工法用のエアーチッパーであって、棒状の刃３を圧縮空気により進退させて掘削するエアーチッパー１において、刃３の先端部１２を基部に対してケーブルガイド７側に平行状に近づくように屈曲成形させ、本体両側方にガイド１０をボルト１１で螺締し、前記ガイド１０をはつり冶具２の案内孔９に摺動自在に設けたエアーチッパーであるので、作業効率がよく、ケーブルを損傷させるようなことはない。
【図面の簡単な説明】
【図１】  本発明の具体的一実施例の正面図である。
【図２】  図１の平面図である。
【図３】  図１の左側面図である。
【符号の説明】
１…エアーチッパー
２…はつり治具
３…刃
４…ハンドル
５…スイッチ
６…ケーブル
７…ケーブルガイド
８…スライドガイド
９…案内孔
１０…ガイド
１１…ボルト
１２…先端部
１３…基端部
１４…ガイド
１５…ストッパー
１６…バンド通し
２１…管路
２２…マンホール
２３…止水剤
【図１】
0004492902.tif 000002
【図２】
0004492902.tif 000003
【図３】
0004492902.tif 000004